(57)【要約】【課題】  ラジオ受信機を紛失や破損のおそれなく簡単に持ち運び可能とすると共に、電源の心配もなく使用可能とする。【解決手段】  収納ケース１の蓋体３の中央に凹設された矩形状の凹部には、電源ボタン２５等を備えた操作部２３の左右にスピーカ２４，２４を配置したラジオ受信機２１が嵌め込み固定されている。このラジオ受信機２１の電源コードは、蓋体３の内面側へ引き出されており、この電源コードを、収納ケース１内に収納される充電器に設けられたラジオ電源供給用のコードと接続することで、充電器からラジオ受信機の動作電源を得ることができるようになっている。【選択図】  図１
2006062020.tif 000002
【特許請求の範囲】
【請求項１】
開口部を有する本体と、その本体に連結されて前記開口部を開閉可能な蓋体とからなり、電源となるバッテリーパックを着脱可能に装着する充電式電動工具と、前記バッテリーパックへ充電を行う充電器とを内部に収納可能とした電動工具の収納ケースであって、
前記本体又は蓋体に、収納した前記充電器から電源を得るラジオ受信機を一体的に設けたことを特徴とする電動工具の収納ケース。
【発明の詳細な説明】
【技術分野】
【０００１】
本発明は、充電式電動工具を充電器と共に収納するための電動工具の収納ケースに関する。
【背景技術】
【０００２】
電動工具の収納ケースは、合成樹脂や金属製で、開口部を有する箱状の本体と、その本体に連結されて本体の開口部を開閉可能な蓋体とからなり、例えば本体内に、電源となるバッテリーパックを着脱可能に装着した電動ドリルや電動ドライバ等の充電式電動工具と、そのバッテリーパックへ充電するための充電器とが収納可能となっている。すなわち、充電式電動工具の使用に必要な機器をセットにして運搬や保管に至便としたものである（例えば特許文献１参照）。
【０００３】
【特許文献１】特開２００３−２３６７７２号公報
【発明の開示】
【発明が解決しようとする課題】
【０００４】
一方、休憩時等には、携帯型のラジオ受信機で音楽やニュース等を聴くことがある。この場合、作業場所へ収納ケースと共にラジオ受信機も持ち運ぶ必要があって面倒で、ラジオ受信機を紛失したり落下して破損させたりするおそれもある。また、このようなラジオ受信機は専ら乾電池が電源となるが、電池の容量切れが生じた際に予備の乾電池を準備していないと使用できなくなり、使い勝手が悪い。
【０００５】
そこで、請求項１に記載の発明は、ラジオ受信機を紛失や破損のおそれなく簡単に持ち運びでき、而も電源の心配もなく使用できる収納ケースを提供することを目的としたものである。
【課題を解決するための手段】
【０００６】
上記目的を達成するために、請求項１に記載の発明は、収納ケースの本体又は蓋体に、収納した充電器から電源を得るラジオ受信機を一体的に設けたことを特徴とするものである。
【発明の効果】
【０００７】
請求項１に記載の発明によれば、休憩時等にラジオ受信機を楽しむことができるのは勿論、収納ケースと一体となるので、ラジオ受信機の紛失や破損のおそれがなくなり、持ち運びの手間も不要となる。また、収納ケースに収納した充電器から電源が得られるので、電源を心配することなく長時間の使用も可能となり、使い勝手に優れる。
【発明を実施するための最良の形態】
【０００８】
以下、本発明の実施の形態を図面に基づいて説明する。
図１は、本発明の収納ケースの一例を示す正面図、図２は蓋体を開放した状態を示す説明図で、収納ケース１は、矩形の箱状の本体２と、その本体２に長手方向の一方の端縁同士でヒンジ４によって連結され、本体２の開口部を開閉可能な同じく矩形の蓋体３とからなり、何れも合成樹脂によって一体成形されている。また、本体２の長手方向の他方の端縁には、フック状のロック板６を夫々備えた一対のラッチ５，５が、蓋体３の同じ側の端縁には、蓋体３による本体２の閉塞状態でロック板６，６が係止可能な一対の被係止部７，７が夫々設けられて、閉塞状態での蓋体３のロックを可能としている。８は収納ケース１の持ち運び用として本体２に設けられたハンドルである。
【０００９】
一方、本体２は、その内面に複数のリブ９，９・・を立設することで、電動工具用収納部１０と、バッテリーパック用収納部１１と、充電器用収納部１２とを夫々区画形成しており、電動工具用収納部１０には、ハウジング１４にバッテリーパック１５を着脱可能に装着した充電式電動工具（例えば電動ドライバやドライバドリル等）１３が横向きに収納され、バッテリーパック用収納部１１には、予備のバッテリーパック１６が収納され、充電器用収納部１２には、バッテリーパック１５，１６の充電器１７が収納されている。３３，３３・・は、蓋体３の内面に立設され、蓋体３の閉塞状態で充電式電動工具１３やバッテリーパック１６、充電器１７に当接して収納時のがたつきを防止する抑え部である。
【００１０】
充電器１７は、充電回路を構成する制御基板やトランス、ファン等を内蔵した箱状のケース１８の上面に、バッテリーパック１５，１６の連結部１９を備え、電源プラグ２０から商用電源を得て、連結部１９に装着したバッテリーパック１５，１６へ充電を行うことができる。この充電器１７は、本体２から取り出して使用することができるが、本体２の側面に設けた図示しない透孔から電源プラグ２０を引き出すことで、収納ケース１内に収納した状態でも使用可能となっている。
【００１１】
そして、蓋体３の中央には、ラジオ受信機２１が設けられている。このラジオ受信機２１は、蓋体３の外面中央に凹設された矩形状の凹部２２に嵌め込み固定されるもので、中央の操作部２３の左右にスピーカ２４，２４を配置した周知の構成である。操作部２３には、電源ボタン２５の他、バンド切換スイッチ２６、音量調整ツマミ２７、周波数調整ツマミ２８等が備えられている。また、蓋体３の内面側では、凹部２２を貫通してラジオ受信機２１の電源コード２９が引き出されて、充電器１７に設けられたラジオ電源供給用のコード３０と、コネクタ３１，３２同士で電気的接続できるようになっている。すなわち、充電器１７において、ラジオ２１の動作用の直流電源もコード３０から供給可能としたものである。
【００１２】
以上の如く構成された収納ケース１においては、充電式電動工具１３を使用する場合は、蓋体３を開き、充電式電動工具１３を本体２の電動工具用収納部１０から取り出して作業を行う。ハウジング１４に装着したバッテリーパック１５の容量がなくなると、予備のバッテリーパック１６と交換して再び使用できる。充電式電動工具１３から取り外したバッテリーパック１５は、電源プラグ２０を商用電源のコンセントに差し込んだ充電器１７に装着して充電を行うことができる。
【００１３】
一方、休憩時等にラジオ受信機２１を聴きたい場合は、充電器１７を本体２に収納した状態で、電源プラグ２０をコンセントに差し込み、ラジオ受信機２１の電源コード２９を充電器１７のコード３０と接続すれば、充電器１７を介して商用電源からラジオ受信機２１の電源を得ることができる。よって、この状態で蓋体３を閉じてラジオ受信機２１の電源ボタン２５をＯＮし、音楽等を楽しむことができる。なお、蓋体３を開けてバッテリーパック１５，１６を充電器１７に装着した状態でもラジオ受信機２１の使用は可能である。
【００１４】
このように上記形態の収納ケース１によれば、蓋体３に、収納した充電器１７から電源を得るラジオ受信機２１を設けたことで、休憩時等にラジオ受信機２１を楽しむことができるのは勿論、収納ケース２１と一体となるので、ラジオ受信機２１の紛失や破損のおそれがなくなり、持ち運びの手間も不要となる。また、充電器１７から電源が得られるので、電源を心配することなく長時間の使用も可能となり、使い勝手に優れる。
【００１５】
以下、変更例を説明する。
まず、収納ケースの構造は、上記形態に限らず、本体と蓋体とは一方又は両方が金属製であっても良いし、蓋体の開閉構造も、ヒンジを短手方向の端縁に設けたり、本体開口部の両端縁をヒンジにして二枚の蓋体で開閉させたり等の設計変更が可能である。また、ヒンジによる開閉に限らず、蓋体のスライドによる開閉構造も採用できる。勿論本体と蓋体とは矩形状に限らず、正方形や細長形状でも差し支えなく、収納する充電式電動工具や充電器の形態に合わせて、内面の収納部の数や形状は適宜変更可能である。
【００１６】
一方、ラジオ受信機についても適宜変更可能で、上記形態ではラジオ受信機を収納ケースの正面中央に設けているが、端部寄りや上面、側面でも良いし、背面側の本体中央や本体の上面、側面等に設けることもできる。また、ラジオ受信機自体の構成も上記形態に限らず、例えば音量調整や周波数調整はレバータイプとしたり、スピーカを操作部から離して蓋体又は本体の左右端部へ配置したり、カセットテープやＭＤ（ミニディスク）のプレーヤーやレコーダーを併設したりしても良い。さらに、ラジオ受信機は、必ずしも収納ケースの外面に操作部を設ける必要はなく、例えば蓋体の内面側が操作部となるようにラジオ受信機を取り付けて、蓋体の開放状態で使用可能とすることもできる。
【００１７】
そして、ラジオ受信機と充電器との電気的接続は、コード同士での接続に限らず、充電器のケースの上面或いは側面に、ラジオ受信機からの電源コードを差し込み可能なコネクタ部を直接設けて、ラジオ受信機側のみをコードとしたり、逆に充電器側のコードをラジオ受信機側に直接設けたコネクタ部に差し込む構造としたりして、一方側のみをコードとすることができる。
また、ラジオ受信機側のコードの先端に、バッテリーパックにおける充電器への接続部と同じ構造の接続部を設けて、この接続部を充電器の連結部へ接続することでラジオ受信機用の電源を得るようにしても良い。このように充電器の連結部を利用すれば、充電器にラジオ受信機用のコードやコネクタを別途設ける必要がなくなる。
【００１８】
さらに、これらの接続形態に限らず、例えば蓋体の内面に、ラジオ受信機側からのピンジャックを突設する一方、充電器のケース上面に、蓋体の閉塞状態でピンジャックが差し込み接続されるコネクタ部を設けて、蓋体の閉塞と同時に電気的接続される構造とすることも可能である。また、収納ケースの本体の内面にラジオ受信機からのピンジャックを突設する一方、対応する充電器の底面又は側面にコネクタ部を設けて、充電器の収納と同時にラジオ受信機が電気的接続される構造とすることも可能である。勿論これらのピンジャックとコネクタ部とは逆にしても良い。
その他、収納ケースへのラジオ受信機の取付構造も、上記形態のような凹部への嵌め込み固定に限らず、ネジ止め等の他の固定手段を採用して差し支えない。また、凹部を設けずに蓋体や本体の外面へネジ止め等で固定しても良いが、上記形態のように凹部へ設けると、収納ケースからの突出部分がなく、好ましい形態となる。
【図面の簡単な説明】
【００１９】
【図１】収納ケースの正面図である。
【図２】蓋体を開放した収納ケースの説明図である。
【符号の説明】
【００２０】
１‥収納ケース、２‥本体、３‥蓋体、１０‥電動工具用収納部、１１‥バッテリーパック用収納部、１２‥充電器用収納部、１３‥充電式電動工具、１５，１６‥バッテリーパック、１７‥充電器、１９‥連結部、２１‥ラジオ受信機、２３‥操作部、２４‥スピーカ、２９‥電源コード、３１，３２‥コネクタ。
【図１】
2006062020.tif 000003
【図２】
2006062020.tif 000004